(57)【要約】【課題】  住戸プランの変更に伴う設備計画の変更および設備配管のメンテナンスが容易な集合住宅を提供する。【解決手段】  基本タイプの住戸１は、３つの居室３、４、９と、１つのリビングダイニングルーム１０、および台所８とを備え、外廊下２の反対側にバルコニー１１を有する３ＬＤＫタイプであり、外廊下２と玄関１２との間には、プライバシーを確保するためにアルコーブ１３が設けられている。バルコニー１１とアルコーブ１３の縁部には、それぞれ共用配管スペース１６、１７が設けられており、共用配管スペース１６、１７内には複数の縦管（設備配管）が配設されている。居室４、９とリビングダイニングルーム１０とを仕切っている間仕切り１８、１９は、それぞれ可動間仕切りになっており、容易に取り外すことができる。また、住戸１内の各所には可動家具１４が置かれており、可動家具１４を移動して部屋の模様替えを行うことができる。【選択図】      図１
2006200207.tif 000002
【特許請求の範囲】
【請求項１】
共用の外廊下に面して配置された隣接する住戸からなる集合住宅において、
前記住戸は、前記外廊下の反対側に設けられたバルコニーおよび前記外廊下側に、それぞれ共用配管スペースを備えていることを特徴とする集合住宅。
【請求項２】
前記住戸内の間仕切りが可動間仕切りであることを特徴とする請求項１に記載の集合住宅。
【発明の詳細な説明】
【技術分野】
【０００１】
本発明は、集合住宅に関し、特に、永住型の集合住宅に関する。
【背景技術】
【０００２】
近年、集合住宅に対する日本人の意識が変化し、永住型の集合住宅に対するニーズが増えている。これに伴い、居住者の家族構成の将来的な変化や居住者の高齢化などによるライフスタイルの変化に対応できる集合住宅が望まれている。
これに対して、例えば特許文献１では、間仕切りを可動式とし、施工後であっても、可動式間仕切りを移動させて、新規入居者あるいは高齢者等、要被介護者等の身体機能の変化に適合させることのできるユニット集合住宅が提案されている。
【特許文献１】特開２０００−５４４９７号公報  （第３−９頁、第１−３０図）
【発明の開示】
【発明が解決しようとする課題】
【０００３】
しかしながら、住戸プランの変更は設備計画の変更を伴うものであるにも拘らず、特許文献１に記載された発明では設備計画の変更しやすさについて考慮されていない。
また、永住型の集合住宅では、構造躯体に比べて耐用年数の短い設備配管のメンテナンスが重要であり、住戸プランを変更しても設備配管のメンテナンスに支障が生じないようにしなければならない。
【０００４】
本発明は、上述する問題点に鑑みてなされたもので、住戸プランの変更に伴う設備計画の変更および設備配管のメンテナンスが容易な集合住宅を提供することを目的とする。
【課題を解決するための手段】
【０００５】
上記目的を達成するため、本発明は、共用の外廊下に面して配置された隣接する住戸からなる集合住宅において、前記住戸は、前記外廊下の反対側に設けられたバルコニーおよび前記外廊下側に、それぞれ共用配管スペースを備えていることを特徴とする。
本発明では、住戸内の共用配管スペースが、外廊下の反対側に設けられたバルコニーおよび外廊下側に、それぞれ分散して配置されているので、住戸プランを変更しても容易に設備計画を対応させることができ、設備配管のメンテナンスも容易である。
【０００６】
また、本発明に係る集合住宅では、前記住戸内の間仕切りが可動間仕切りであることが好ましい。
本発明では、住戸内の間仕切りを可動間仕切りとしているので、可動間仕切りを移動させることにより、多様なライフスタイルの変化に対応した住戸プランを実現することができる。その結果、社会のストックとしての集合住宅をローコストで供給することができる。
【発明の効果】
【０００７】
本発明では、住戸内の共用配管スペースが、外廊下の反対側に設けられたバルコニーおよび外廊下側に、それぞれ分散して配置されているので、住戸プランの変更に伴う設備計画の変更および設備配管のメンテナンスが容易であり、多様なライフスタイルの変化に対応した住戸プランを実現することができる。その結果、社会のストックとしての集合住宅をローコストで供給することができる。
【発明を実施するための最良の形態】
【０００８】
以下、本発明に係る集合住宅の実施形態について図面に基づいて説明する。
本発明に係る集合住宅は、各階ごとに、共用の外廊下に面して配置された隣接する住戸からなる板状の外廊下タイプの集合住宅である。本発明に係る集合住宅では、スケルトン（構造躯体）とインフィル（住戸内の内装・設備等）とが分離されており、スケルトンにおいて長期耐久性を実現するとともに、インフィル部において将来的な変更が可能なように造られている。
【０００９】
図１は、本発明に係る集合住宅を構成する住戸の基本プランを示したものである。
図示した住戸１は、３つの居室３、４、９と、１つのリビングダイニングルーム１０、および台所８とを備え、外廊下２の反対側にバルコニー１１を有する３ＬＤＫタイプであり、外廊下２と玄関１２との間には、プライバシーを確保するためにアルコーブ１３が設けられている。
バルコニー１１とアルコーブ１３の縁部には、それぞれ共用配管スペース１６、１７が設けられており、共用配管スペース１６、１７内には図示しない複数の縦管（設備配管）が配設されている。
【００１０】
バルコニー１１に隣接する居室４とリビングダイニングルーム１０とを仕切っている間仕切り１８、およびアルコーブ１３側の居室９とリビングダイニングルーム１０とを仕切っている間仕切り１９は、それぞれ可動間仕切りになっており、取り外したり移動したりすることができる。
また、住戸１内の各所にはキャスター付きの可動家具１４が置かれており、可動家具１４を移動して部屋の模様替えを行うことができる。
【００１１】
一方、バルコニー１１に隣接する居室４から浴室７に向かう通路５の天井には、通路５に沿って吊ベッドレール１５が敷設されており、高齢者を吊ベッドに寝かせた状態で移動させることができるようになっている。
【００１２】
なお、床スラブは、梁が無く、柱に直接支持されるフラットスラブから構成されており、住戸１内に梁形が突出することがない。加えて、住戸１内の床は、床スラブと床材との間に空間を設けた二重床として遮音性を高めるとともに、段差の無いバリアフリーとしている 。
【００１３】
図２乃至４は、可動間仕切り１８、１９や可動家具１４を移動して、上記基本プランをそれぞれ変更したプラン例を示したものである。
図２の第一変更プランは高齢者対応型であり、外廊下２側に配置された居室３と通路５とを仕切っている可動家具１４を居室３内に移動して、外廊下２側に配置された居室３とバルコニー１１に隣接する居室４とを、直線状の通路５で結び、車椅子や歩行器などを利用して居室３、４間をスムーズに移動することができるようにしている。
また、車椅子ごとトイレ６内に入れるように、トイレスペースも基本プランより大きくするとともに、浴室７には、またぎ高さを抑えた超低床型のユニットバスを使用し、介護・高齢者に配慮している。
【００１４】
図３の第ニ変更プランは家族構成変化対応型である。子供が成長して親と生計を別にするようになった場合に、バルコニー１１に隣接する居室４の可動間仕切り１８を取り払って居室を１つ減らし２ＬＤＫタイプとしたものである。これに併せて、リビングダイニングルーム１０をダイニングルーム１０ａとリビングルーム１０ｂに分離し、アルコーブ１３側の居室９の可動間仕切り１９をリビングルーム１０ｂ側に移動して居室９スペースを大きくするとともに、システムキッチン８ａを通路５側に移動してリビングルーム１０ｂのスペースを確保している。
【００１５】
図４の第三変更プランはビジネスライフ対応型であり、アルコーブ１３側の居室９の可動間仕切り１９を取り払い、居室９内の可動家具１４をアルコーブ１３側に移動して、居室９スペースをリビングダイニングルーム１０と一体化し、開放的な書斎９’としている。
【００１６】
本実施形態による集合住宅では、共用配管スペース１６、１７が、外廊下２の反対側に設けられたバルコニー１１および外廊下２側に、それぞれ分散して配置されているので、住戸プランを変更しても容易に設備計画を対応させることができ、設備配管のメンテナンスも容易である。
また、本実施形態による集合住宅では、居室４、９とリビングダイニングルーム１０とを仕切っている間仕切り１８、１９を可動間仕切りとしているので、可動間仕切りを取払うことにより、多様なライフスタイルの変化に対応した住戸プランを実現することができる。その結果、社会のストックとしての集合住宅をローコストで供給することができる。
【００１７】
以上、本発明に係る集合住宅の実施形態について説明したが、本発明は上記の実施形態に限定されるものではなく、その趣旨を逸脱しない範囲で適宜変更可能である。例えば、上記の実施形態では、２ＬＤＫおよび３ＬＤＫタイプの住戸を示しているが、可動間仕切りを全て取り払えば１ＬＤＫの間取りも可能である。要は、本発明において所期の機能が得られればよいのである。
【図面の簡単な説明】
【００１８】
【図１】本発明に係る集合住宅を構成する住戸の基本プランを示す図である。
【図２】本発明に係る集合住宅を構成する住戸の第一変更プランを示す図である。
【図３】本発明に係る集合住宅を構成する住戸の第ニ変更プランを示す図である。
【図４】本発明に係る集合住宅を構成する住戸の第三変更プランを示す図である。
【符号の説明】
【００１９】
１  住戸
２  外廊下
３、４、９  居室
５  通路
６  トイレ
７  浴室
８  台所
１０  リビングダイニングルーム
１１  バルコニー
１２  玄関
１３  アルコーブ
１４  可動家具
１５  吊ベッドレール
１６、１７  共用配管スペース
１８、１９  可動間仕切り
【図１】
2006200207.tif 000003
【図２】
2006200207.tif 000004
【図３】
2006200207.tif 000005
【図４】
2006200207.tif 000006